(57)【要約】【課題】  検診者のみに対して、ネットワークに接続された記憶サーバに記憶された受診者の健康情報を提供することができる、健康情報提供システムおよび健康情報の提供方法を提供する。【解決手段】  健康情報の提供システム１００は、受診者の健康情報が記憶されたサーバ３０と、受診者を検診する検診者の端末１０が、サーバ３０に接続する権限を有するか否かを判断する第１認証手段２０と、検診者の端末１０がサーバ３０に接続する権限を有する場合において、検診者端末１０が、検診される受診者の健康情報を入手することができる権限を有するか否かを判断する第２認証手段３２と、検診者端末１０が健康情報を入手することができる権限を有すると判断した場合において、検診者端末１０の要求に応じてサーバ３０から健康情報を検診者の端末１０に送信する送信手段とを含み、前記健康情報は、前記受診者の生理物質中に含まれるミッドカイン量を含む。【選択図】  図１
2004329917.tif 000002
【特許請求の範囲】
【請求項１】
受診者の健康情報が記憶されたサーバと、
前記受診者を検診する検診者の端末が、前記サーバに接続する権限を有するか否かを判断する第１認証手段と、
前記検診者の端末が前記サーバに接続する権限を有する場合において、前記検診者の端末が、検診される受診者の健康情報を入手することができる権限を有するか否かを判断する第２認証手段と、
前記検診者の端末が前記健康情報を入手することができる権限を有すると判断した場合において、前記検診者の端末の要求に応じて前記サーバから前記健康情報を検診者の端末に送信する送信手段と、を含み、
前記健康情報は、前記受診者の生理物質中に含まれるミッドカイン量を含む、健康情報の提供システム。
【請求項２】
請求項１において、
さらに、前記検診者の固有情報が記憶された第１記憶手段を含み、
前記第１認証手段は、前記検診者の端末から送信された前記検診者の固有情報と、前記第１記憶手段に記憶された前記検診者の固有情報とが一致するか否かを照合する照合手段を含む、健康情報の提供システム。
【請求項３】
請求項１または２において、
さらに、前記受診者の固有情報が記憶された第２記憶手段を含み、
前記第２認証手段は、前記検診者の端末から送信された受診者の固有情報と、前記第２記憶手段に記憶された前記受診者の固有情報とが一致するか否かを照合する照合手段を含む、健康情報の提供システム。
【請求項４】
請求項２において、
前記検診者の固有情報は、該検診者を識別する情報であって、該検診者特有の身体的又は行動的な特徴情報である、健康情報の提供システム。
【請求項５】
請求項４において、
前記身体的な特徴情報は、指紋、掌形、顔、静脈パターンまたは虹彩である、健康情報の提供システム。
【請求項６】
請求項４において、
前記行動的な特徴情報は、声紋または動的署名である、健康情報の提供システム。
【請求項７】
請求項１〜６のいずれかにおいて、
前記健康情報は、前記受診者の健康状態の情報を含む、健康情報の提供システム。
【請求項８】
受診者の健康情報が記憶されたサーバと、
前記検診者の端末が、検診される受診者の健康情報を入手することができる権限を有するか否かを判断する認証手段と、
前記検診者の端末が前記健康情報を入手することができる権限を有すると判断した場合において、前記検診者の端末の要求に応じて前記サーバから前記健康情報を前記検診者の端末に送信する送信手段と、を含み、
前記健康情報は、前記受診者の生理物質中に含まれるミッドカイン量を含む、健康情報の提供システム。
【請求項９】
受診者を検診する検診者の端末が、前記受診者の健康情報が記憶されたサーバに接続する権限を有するか否かを判断するステップと、
前記検診者の端末が前記サーバに接続する権限を有する場合において、前記検診者の端末が、検診する受診者の健康情報を入手することができる権限を有するか否かを判断するステップと、
前記検診者の端末が前記健康情報を入手することができる権限を有する場合において、前記検診者の端末の要求に応じて前記サーバから前記健康情報を検診者の端末に送信するステップと、を含む、健康情報の提供方法であって、
前記健康情報は、前記受診者の生理物質中に含まれるミッドカイン量を含む、健康情報の提供方法。
【請求項１０】
検診者の端末が、サーバに記憶された検診される受診者の健康情報を入手することができる権限を有するか否かを判断するステップと、
前記検診者の端末が前記健康情報を入手することができる権限を有する場合において、前記検診者の端末の要求に応じて前記サーバから前記健康情報を前記検診者の端末に送信する送信ステップと、を含む、健康情報の提供方法であって、
前記健康情報は、前記受診者の生理物質中に含まれるミッドカイン量を含む、健康情報の提供方法。
【発明の詳細な説明】
【技術分野】
【０００１】
本発明は、ネットワーク上で、検診者が受診者の健康情報を取得することができる健康情報の提供システムおよび健康情報の提供方法に関する。
【背景技術】
【０００２】
人の健康情報（たとえば、身長、体重、血圧、遺伝情報）は、プライバシーに関するものであるため、その情報の取り扱いには、慎重を期する必要がある。また、健康情報が、ネットワークに接続された記憶サーバに記憶されることに関して、セキュリティの観点から、多くの人が抵抗感を抱いている。このため、ネットワーク上で、医療サービスの提供はなかなか進んでいないのが現状である。
【発明の開示】
【発明が解決しようとする課題】
【０００３】
本発明の目的は、検診者のみに対して、ネットワークに接続された記憶サーバに記憶された受診者の健康情報を提供することができる、健康情報提供システムおよび健康情報の提供方法を提供することにある。
【課題を解決するための手段】
【０００４】
１．健康情報の提供システム
（Ａ）本発明の第１の健康情報の提供システムは、
受診者の健康情報が記憶されたサーバと、
前記受診者を検診する検診者の端末が、前記サーバに接続する権限を有するか否かを判断する第１認証手段と、
前記検診者の端末が前記サーバに接続する権限を有する場合において、前記検診者の端末が、検診される受診者の健康情報を入手することができる権限を有するか否かを判断する第２認証手段と、
前記検診者の端末が前記健康情報を入手することができる権限を有すると判断した場合において、前記検診者の端末の要求に応じて前記サーバから前記健康情報を検診者の端末に送信する送信手段と、を含み、
前記健康情報は、前記受診者の生理物質中に含まれるミッドカイン量を含む。
【０００５】
本発明においては、第１認証手段で、検診者端末が健康情報記憶サーバにアクセスすることできる権限があるかどうか判断するため、検診者以外のものが健康情報記憶サーバにアクセスするのを防ぐことができる。
【０００６】
また、前記健康情報は、前記受診者の生理物質中に含まれるミッドカイン量を含むことで、検診者は本発明を癌検診に適用できる。ミッドカイン量の情報があることにより、検診者は癌かどうかの診断を行うことができるためである。
【０００７】
また、第２認証手段により、検診者端末が受診者の健康情報を取得する権限があるかどうか判断しているため、検診者であっても、検診する受診者以外のものの健康情報を取得することができない。このため、健康情報のセキュリティレベルをさらに向上させることができる。
【０００８】
本発明においては、さらに、前記検診者の固有情報が記憶された第１記憶手段を含み、前記第１認証手段は、前記検診者の端末から送信された前記検診者の固有情報と、前記第１記憶手段に記憶された前記検診者の固有情報とが一致するか否かを照合する照合手段を含むことができる。
【０００９】
これにより、第１認証手段は、検診者の固有情報に基づいて、受診者を検診する検診者の端末が、前記サーバに接続する権限を有するか否かを判断することとなる。このため、より信頼性の高い、健康情報システムを実現することができる。
【００１０】
また、本発明においては、さらに、前記受診者の固有情報が記憶された第２記憶手段を含み、前記第２認証手段は、前記検診者の端末から送信された受診者の固有情報と、前記第２記憶手段に記憶された前記受診者の固有情報とが一致するか否かを照合する照合手段を含むことができる。
【００１１】
これにより、第２認証手段は、検診者が送信した受診者の固有情報に基づいて、検診者の端末が、受信者の健康情報を入手する権限を有するか否かを判断することとなる。このため、より信頼性の高い、健康情報システムを実現することができる。
【００１２】
また、前記検診者の固有情報は、該検診者を識別する情報であって、該検診者特有の身体的又は行動的な特徴情報とすることができる。前記身体的な特徴情報は、指紋、掌形、顔、静脈パターンまたは虹彩とすることができる。前記行動的な特徴情報は、声紋または動的署名とすることができる。これらは、人によって異なる情報であるため、本発明の健康情報システムにとって好適である。
【００１３】
前記健康情報は、前記受診者の健康状態の情報を含むことができる。
【００１４】
（Ｂ）本発明の第２の健康情報の提供システムは、
受診者の健康情報が記憶されたサーバと、
前記検診者の端末が、検診される受診者の健康情報を入手することができる権限を有するか否かを判断する認証手段と、
前記検診者の端末が前記健康情報を入手することができる権限を有すると判断した場合において、前記検診者の端末の要求に応じて前記サーバから前記健康情報を前記検診者の端末に送信する送信手段と、を含み、
前記健康情報は、前記受診者の生理物質中に含まれるミッドカイン量を含む。
【００１５】
２．健康情報の提供方法
（Ａ）本発明の第１の健康情報の提供方法は、
受診者を検診する検診者の端末が、前記受診者の健康情報が記憶されたサーバに接続する権限を有するか否かを判断するステップと、
前記検診者の端末が前記サーバに接続する権限を有する場合において、前記検診者の端末が、検診する受診者の健康情報を入手することができる権限を有するか否かを判断するステップと、
前記検診者の端末が前記健康情報を入手することができる権限を有する場合において、前記検診者の端末の要求に応じて前記サーバから前記健康情報を検診者の端末に送信するステップと、を含む、健康情報の提供方法であって、
前記健康情報は、前記受診者の生理物質中に含まれるミッドカイン量を含む。
【００１６】
（Ｂ）本発明の第２の健康情報の提供方法は、
検診者の端末が、サーバに記憶された検診される受診者の健康情報を入手することができる権限を有するか否かを判断するステップと、
前記検診者の端末が前記健康情報を入手することができる権限を有する場合において、前記検診者の端末の要求に応じて前記サーバから前記健康情報を前記検診者の端末に送信する送信ステップと、を含む、健康情報の提供方法であって、
前記健康情報は、前記受診者の生理物質中に含まれるミッドカイン量を含む。
【００１７】
健康情報の提供システムの概念には、この提供システムの構成要素を一つのコンピュータ端末で実現するものも含む。
【発明を実施するための最良の形態】
【００１８】
以下、実施の形態に係る健康情報提供システムを説明する。
【００１９】
１．健康情報提供システム
１．１  全体システム
図１は、実施の形態に係る健康情報提供システムの構成例を示すブロック図である。
【００２０】
健康情報提供システム１００は、検診者（たとえば医師）のみに対して、受診者の健康情報を提供することができるようにするためのシステムである。
【００２１】
健康情報提供システム１００は、ネットワーク６０に接続された検診者端末１０を有する。また、健康情報提供システム１００は、第１認証手段２０と、第１認証手段２０に接続された健康情報記憶サーバ３０とを有する。
【００２２】
第１認証手段２０は、検診者端末１０が健康情報記憶サーバ３０にアクセスすることができる権限を有するか否かを判断するものである。第１認証手段２０には、検診者の固有情報が記憶された固有情報記憶手段７０が接続されている。検診者の固有情報記憶手段７０には、予め、検診者の固有情報が記憶されている。検診者の固有情報は、検診者を識別できる情報であれば特に限定されないが、好ましくは検診者特有の身体的又は行動的な特徴情報である。身体的な特徴情報としては、指紋、掌形、顔、静脈パターンまたは虹彩を挙げることができ、行動的な特徴情報としては、声紋または動的署名を挙げることができる。
【００２３】
検診者端末１０は、ネットワーク６０に接続可能なパソコンなどの端末であり、第１認証手段２０及び健康情報記憶サーバ３０に接続するための接続手段（図示せず）を有する。また、検診者端末１０は、第１認証手段２０及び健康情報記憶サーバ３０に情報を送信することができる送信手段（図示せず）と、健康情報記憶サーバ３０から送信された健康情報を受信する受信手段（図示せず）と、その受信した健康情報を表示する表示手段（図示せず）とを有する。また、検診者端末１０には、受診者の固有情報を記憶するための記憶手段（図示せず）が設けられている。
【００２４】
検診者端末１０には、検診者の固有情報を取得するための検診者情報取得手段１２が接続されている。検診者情報取得手段１２としては、検診者の固有情報が指紋の場合には、指紋読み取り手段を挙げることができる。
【００２５】
ネットワーク６０は、インターネット、イントラネットであることができる。
【００２６】
１．２  健康情報記憶サーバ
健康情報記憶サーバ３０には、図２に示すように、受診者の健康情報３６が格納されている。そして、検診者端末１０が受診者の健康情報３６を取得できる権限を有するかどうかを判断する第２認証手段３２が設けられている。具体的には、この第２認証手段３２は、検診者が検診する受診者の健康情報３６のみしか取得できないようにするためのものである。したがって、検診者だからといって、検診する受診者以外のものの健康情報３６を取得しようとした場合には、第２認証手段により、検診者端末１０が受診者の健康情報３６を取得することが拒否される。健康情報記憶サーバ３０には、検診者端末１０に健康情報を送信するための送信手段（図示せず）が設けられている。
【００２７】
また、第２認証手段３２には、受診者固有情報記憶手段３４が接続されている。受信者固有情報記憶手段３４には、受信者の固有情報が記憶されている。検診者の固有情報は、検診者を識別できる情報であれば特に限定されず、たとえばパスワード、ＩＤである。
【００２８】
１．３  健康情報
図３は、受診者の健康情報３６の一例を示すイメージ図である。
【００２９】
受診者の健康情報３６としては、検診する際に必要となる情報であれば特に限定されず、たとえば、年齢、身長、体重、血圧データ、血液型、生理物質（たとえば尿、糞、血清）中のミッドカイン量、遺伝情報、過去の診断結果、を挙げることができる。ミッドカイン量の情報があることにより、検診者は、癌かどうかの診断を行うことができる。ミッドカイン量に基づき癌かどうかを診断する点については、本願発明者が発明者の一人となっている国際出願（ＰＣＴ／ＪＰ００／０６１４７）の国際公開公報（ＷＯ０１／２０３３３）に開示されている。
【００３０】
２．動作
以下、健康情報提供システムの動作を説明する。図４は、健康情報提供システムの処理フローの大枠を示す。
【００３１】
まず、健康情報提供システムの動作の概要を説明する。
【００３２】
検診者端末１０が、検診者固有情報取得手段１２により、検診者の固有情報を取得する（Ｓ１００）。次に、検診者端末１０が、第１認証手段２０に対して、健康情報記憶サーバ３０への接続の認証要求を送信する（Ｓ２００）。第１認証手段１０は、その検診者端末１０が健康情報記憶サーバ３０に接続できる権限があるかどうか判断し（Ｓ３００）、権限があると判断した場合には検診者端末１０と健康情報記憶サーバ３０とを接続する（Ｓ４００）。一方、権限がないと判断した場合には、第１認証手段１０は、接続認証失敗の旨を検診者端末１０に送信する（Ｓ３５０）。
【００３３】
検診者端末１０が健康情報記憶サーバ３０に接続された場合には、検診者端末１０が、受診者の健康情報取得の認証要求を第２認証手段３２に送信する（Ｓ５００）。その要求を受けて、第２認証手段３２は、検診者端末１０が受診者の健康情報３６を取得できる権限があるか判断する（Ｓ６００）。権限があると判断した場合には、健康情報３６を検診者端末１０に送信し（Ｓ７００）、検診者端末１０の表示手段は、その情報３６を表示する（Ｓ８００）。一方、権限がないと判断した場合には、健康情報取得認証の失敗の旨を検診者端末１０に送信する（Ｓ６５０）。
【００３４】
以下、具体的に、健康情報提供システムの動作方法を説明する。図５及び図６は、健康情報提供システムの具体的なフローを説明する。
【００３５】
まず、検診者端末１０が、検診者の固有情報を取得する（Ｓ１００）。検診者端末１０に入力されたサーバ接続要求に応じて、検診者端末１０が、サーバ接続要求、検診者を特定する情報（たとえば氏名、ＩＤ）および検診者の固有情報を第１認証手段２０に送信する（Ｓ２００）。第１認証手段２０がサーバ接続要求等を受信すると（Ｓ２１０）、サーバ接続認証を行う（Ｓ３００）。すなわち、検診者の固有情報記憶手段１２に記憶された検診者の固有情報を読み出し、検診者端末１０から送られてきた固有情報と、固有情報記憶手段７０から読み出した固有情報とを比較手段（図示せず）により比較し、一致しているかどうか判断する。一致していれば、認証成功となり、検診者端末１０と健康情報記憶サーバ３０とを接続し（Ｓ４００）、接続した旨を検診者端末１０に送信する（Ｓ４１０）。不一致であれば認証失敗となり、接続認証失敗の旨を検診者端末１０に送信する（Ｓ３５０）。
【００３６】
検診者端末１０が健康情報記憶サーバ３０と接続された旨を受信すると（Ｓ４２０）、検診者端末１０は、健康情報記憶サーバ３０に対して、特定の受診者の健康情報取得要求およびその受信者の固有情報を送信する（Ｓ５００）。健康情報記憶サーバ３０がその要求を受信すると（Ｓ５１０）、第２認証手段３２が健康情報取得認証を行う（Ｓ６００）。すなわち、第２認証手段３２が、受診者の固有情報記憶手段３４に記憶された対応する受診者の固有情報を読み出し、読み出した固有情報と、検診者端末１０から送信された受診者の固有情報とを比較手段（図示せず）により比較し、一致しているかどうか判断する。一致していれば、受信者の健康情報３６を検診者端末１０に送信し（Ｓ７００）、検診者端末１０が受診者の健康情報を受信すると（Ｓ７００）、検診者端末１０の表示手段にその健康情報３６が表示される（Ｓ８００）。一方、不一致であれば、検診者端末１０に健康情報取得失敗の旨が送信される（Ｓ６５０）。
【００３７】
３．作用効果
実施の形態に係る健康情報提供システムは、たとえば次の作用効果を奏することができる。
【００３８】
第１認証手段２０で、検診者端末１０が健康情報記憶サーバ３０にアクセスすることできる権限があるかどうか判断するため、検診者以外のものが健康情報記憶サーバ３０にアクセスするのを防ぐことができる。
【００３９】
また、第２認証手段３２により、検診者端末１０が受診者の健康情報を取得する権限があるかどうか判断しているため、検診者であっても、検診する受診者以外のものの健康情報を取得することができない。このため、健康情報のセキュリティレベルをさらに向上させることができる。
【００４０】
４．その他構成例
（１）なお、上記のシステムによれば、検診者は、認証のために受診者の固有情報を取得している必要がある。受診者が、受診者の固有情報を設定した場合には、その情報は管理者に送り、管理者端末４０から検診者端末１０に送信してもよいし、または、受診者端末５０から直接、検診者端末１０に送信してもよい。
【００４１】
（２）受診者の健康情報の追加訂正は、受診者端末が行ってもよいし、または、管理者端末が行ってもよい。
【００４２】
また、受診者端末または管理者端末から送信されてきた追加の健康情報を、健康情報に追加する追加手段を設けてもよい。
【００４３】
また、健康情報記憶サーバに記憶された健康情報を、受信者端末または管理者端末から送信された健康情報に変更する変更手段があってもよい。
【００４４】
（３）健康情報や受診者または検診者の固有情報は、暗号化手段（図示せず）により、暗号化して送信してもよい。
【００４５】
なお、本発明は上述した実施の形態に限定されず、本発明の要旨を超えない範囲で種々の変形が可能である。
【図面の簡単な説明】
【００４６】
【図１】実施の形態に係る健康情報取得システムの構成例を示す図である。
【図２】健康情報記憶サーバの構成の一例を示す図である。
【図３】受診者の健康情報３６の一例を示すイメージ図である。
【図４】健康情報提供システムの処理フローの大枠を示す。
【図５】健康情報提供システムの処理フローの具体例を示す。
【図６】健康情報提供システムの処理フローの具体例を示す。
【符号の説明】
【００４７】
１０    検診者端末
１２    検診者固有情報取得手段
２０    第１認証手段
３０    健康情報記憶サーバ
３２    第２認証手段
３４    受診者固有情報記憶手段
３６    受診者の健康情報
４０    管理者端末
５０    受診者端末
６０    ネットワーク
７０    検診者固有情報記憶手段
１００  健康情報取得システム
【図１】
2004329917.tif 000003
【図２】
2004329917.tif 000004
【図３】
2004329917.tif 000005
【図４】
2004329917.tif 000006
【図５】
2004329917.tif 000007
【図６】
2004329917.tif 000008